(57)【要約】【課題】食品衛生の改善策の様々な切り口での検討を容易にすること。【解決手段】分析操作受付部４０２は、分析対象の属性を指定する指定操作を受け付け、指定された属性を示す指定データをサーバ装置１０に送信する。分析処理部１０７は、指定データが示す分析対象の検査結果を抽出し、抽出した検査結果を集計して評価率を算出する。分析処理部１０７は、算出した評価率に基づき算出される統計量を示す統計量テーブルと、評価率の時系列変化を示すグラフを生成する。分析処理部１０７は、生成した統計量テーブル及び時系列グラフを評価情報として示す評価データを分析者端末４０に対して出力する。分析画像表示部４０１は、出力されてきた評価データが示す評価情報を表示する。【選択図】図５
2020181564.tif 000002
【特許請求の範囲】
【請求項１】
食品衛生に関する検査結果を記憶する記憶部であって、前記検査結果の表示が許可された第１ユーザ装置から送信されてきた第１入力情報を前記検査結果に対応付けて記憶し、前記第１入力情報の表示が許可された第２ユーザ装置から送信されてきた第２入力情報を前記第１入力情報に対応付けて記憶する記憶部と、
記憶されている前記検査結果を前記第１ユーザ装置に対して出力する結果出力部と、
記憶されている前記第１入力情報を前記第２ユーザ装置に対して出力する情報出力部と
を備える情報処理装置。
【請求項２】
記憶されている前記検査結果の集計値に基づき表される、前記食品衛生の評価を示す評価情報を出力する評価情報出力部であって、前記食品衛生に関する検査の項目を表示する表示手段に対して前記評価情報を出力する評価情報出力部を備える
請求項１に記載の情報処理装置。
【請求項３】
前記記憶部は、前記第１入力情報に写真が含まれている場合のみ、当該第１入力情報を前記検査結果に対応付けて記憶する
請求項１又は２に記載の情報処理装置。
【請求項４】
請求項１から３のいずれか１項に記載の情報処理装置と、
前記情報処理装置から出力されてきた前記検査結果と、当該検査結果に対応する入力を受け付ける画像とを表示し、当該画像により受け付けられた入力を示す第１入力情報を前記情報処理装置に出力する第１ユーザ装置と、
前記情報処理装置から出力されてきた前記第１入力情報と、当該第１入力情報に対応する入力を受け付ける画像とを表示し、当該画像により受け付けられた入力を示す第２入力情報を前記情報処理装置に出力する第２ユーザ装置と
を備える情報処理システム。
【発明の詳細な説明】
【技術分野】
【０００１】
本発明は食品衛生管理に関する。
【背景技術】
【０００２】
食品衛生管理に関する技術として、特許文献１には、食品を取り扱う事業所及びその従業者の衛生管理の状態の検査結果が、重要度に応じて決められている所定の基準値と比較して悪い結果である場合に、所定の通知先にアラートを通知する技術が開示されている。
【先行技術文献】
【特許文献】
【０００３】
【特許文献１】特開２０１２−２１６１１５号公報
【発明の概要】
【発明が解決しようとする課題】
【０００４】
ＨＡＣＣＰ（Hazard Analysis Critical Control Point）の義務化により、多くの食品関連事業者によるＨＡＣＣＰを含む衛生管理業務の増加が見込まれている。例えば、製品を提供するまでの各工程について継続的な監視及び記録を行うため、食品の安全性に関わる様々な項目についての検査が行われる。検査の結果は、今後の食品衛生において改善すべき事項を検討するために有効な情報であるが、食品衛生のための改善事項には、各事業者が個々に取り組むべきものもあれば、各事業者が属する地域やグループなどで足並みを揃えて取り組むべきものもある。
そこで、本発明は、食品衛生の改善策の様々な切り口での検討を容易にすることを目的とする。
【課題を解決するための手段】
【０００５】
上記目的を達成するために、本発明は、食品衛生に関する検査結果を記憶する記憶部であって、前記検査結果の表示が許可された第１ユーザ装置から送信されてきた第１入力情報を前記検査結果に対応付けて記憶し、前記第１入力情報の表示が許可された第２ユーザ装置から送信されてきた第２入力情報を前記第１入力情報に対応付けて記憶する記憶部と、記憶されている前記検査結果を前記第１ユーザ装置に対して出力する結果出力部と、記憶されている前記第１入力情報を前記第２ユーザ装置に対して出力する情報出力部とを備える情報処理装置を提供する。
【０００６】
また、記憶されている前記検査結果の集計値に基づき表される、前記食品衛生の評価を示す評価情報を出力する評価情報出力部であって、前記食品衛生に関する検査の項目を表示する表示手段に対して前記評価情報を出力する評価情報出力部を備えていてもよい。
【０００７】
また、前記記憶部は、前記第１入力情報に写真が含まれている場合のみ、当該第１入力情報を前記検査結果に対応付けて記憶してもよい。
【０００８】
また、本発明は、上記の情報処理装置と、前記情報処理装置から出力されてきた前記検査結果と、当該検査結果に対応する入力を受け付ける画像とを表示し、当該画像により受け付けられた入力を示す第１入力情報を前記情報処理装置に出力する第１ユーザ装置と、前記情報処理装置から出力されてきた前記第１入力情報と、当該第１入力情報に対応する入力を受け付ける画像とを表示し、当該画像により受け付けられた入力を示す第２入力情報を前記情報処理装置に出力する第２ユーザ装置とを備える情報処理システムを提供する。
【発明の効果】
【０００９】
本発明によれば、食品衛生の改善策の様々な切り口での検討を容易にすることができる。
【図面の簡単な説明】
【００１０】
【図１】実施例に係る検査支援システムの全体構成の一例を表す図
【図２】サーバ装置のハードウェア構成の一例を表す図
【図３】検査端末のハードウェア構成の一例を表す図
【図４】事業者端末及び分析者端末のハードウェア構成の一例を表す図
【図５】各装置が実現する機能構成を表す図
【図６】記憶された検査項目の一例を表す図
【図７】表示された操作画像の一例を表す図
【図８】抽出された検査項目の例を表す図
【図９】表示された検査リストの一例を表す図
【図１０】入力操作が行われた状態の検査リストの一例を表す図
【図１１】検査結果テーブルの一例を表す図
【図１２】表示された集計結果の一例を表す図
【図１３】記憶された検査結果及び属性の一例を表す図
【図１４】表示された検査結果の一例を表す図
【図１５】改善結果を反映した検査結果テーブルの一例を表す図
【図１６】表示された検査画像の一例を表す図
【図１７】表示された検査結果の一例を表す図
【図１８】検査員のコメントを反映した検査結果テーブルの一例を表す図
【図１９】表示された分析に関する画像の一例を表す図
【図２０Ａ】表示された評価情報の一例を表す図
【図２０Ｂ】表示された評価情報の一例を表す図
【図２１Ａ】出力された評価情報の例を表す図
【図２１Ｂ】出力された評価情報の例を表す図
【図２１Ｃ】出力された評価情報の例を表す図
【図２１Ｄ】出力された評価情報の例を表す図
【図２２】検査処理における各装置の動作手順の一例を表す図
【図２３】提示処理における各装置の動作手順の一例を表す図
【図２４】分析処理における各装置の動作手順の一例を表す図
【図２５】蓄積された属性の一例を表す図
【図２６】評価率の時系列変化を示すグラフの一例を表す図
【発明を実施するための形態】
【００１１】
［１］実施例
図１は実施例に係る検査支援システム１の全体構成の一例を表す。検査支援システム１は、食品を扱う施設等における食品衛生（食品によって健康が害されることがない安全な状態を保つこと）の管理に関する業務の１つである検査業務を支援するシステムである。検査業務とは、施設等における食品衛生の状態が食品を摂取する人の安全のために求められる基準（例えばＨＡＣＣＰで定められた基準）を満たしているか否かを検査する業務であり、食品衛生に影響を与える様々な検査項目についての検査が行われる。
【００１２】
検査支援システム１は、ネットワーク２と、サーバ装置１０と、検査端末２０と、事業者端末３０と、分析者端末４０とを備える。ネットワーク２は、移動体通信網及びインターネット等を含む通信システムであり、自システムにアクセスする装置同士のデータのやり取りを中継する。ネットワーク２には、サーバ装置１０、事業者端末３０及び分析者端末４０が有線通信で（無線通信でもよい）、検査端末２０が無線通信でアクセスしている。
【００１３】
検査端末２０は、検査業務を行う検査員が利用する端末であり、スマートフォン及びタブレット端末のように持ち運び可能ないわゆるモバイル端末である。検査員は、検査対象の施設において検査端末２０に検査項目の一覧である検査リストを表示させ、各検査項目の実施状況を検査端末２０に入力して記録する。検査員は、例えば、検査対象施設で働く従業員又は食品衛生管理を支援する事業を行う事業者の社員等のうち検査作業を担当する者である。
【００１４】
図１では、検査端末２０を１台しか表していないが、検査対象となる施設が多く存在する場合や検査対象の施設が広く複数個所同時に検査を行う場合は、複数の検査端末２０を複数の検査員がそれぞれ利用して複数の検査が並行して行われる。サーバ装置１０は、１台又はそれら複数の検査端末２０による検査に関する情報を管理する処理等を行う。サーバ装置１０は本発明の「情報処理装置」の一例である。検査に関する情報とは、先に述べた検査項目及び各検査項目に対する検査結果等である。
【００１５】
例えば検査員が検査対象の施設の検査を行う場合、サーバ装置１０は、その施設において必要な検査項目を含む検査リストを検査端末２０に送信する。検査作業が完了すると、検査結果が検査端末２０からサーバ装置１０に送信されてくる。サーバ装置１０は、送信されてきた検査結果を記憶し、過去の履歴として検査結果を閲覧させる処理や検査結果の傾向を分析する処理などを行う。
【００１６】
事業者端末３０は、検査対象である施設で事業を行う事業者が利用する端末であり、例えばパーソナルコンピュータである。事業者の従業員は、事業者端末３０を操作して、サーバ装置１０に記憶されている検査結果を閲覧することができる。分析者端末４０は、サーバ装置１０に対して前述した検査結果の傾向を分析させて活用することを職務とする分析者が利用する端末であり、例えばパーソナルコンピュータである。分析者は、分析者端末４０を操作して、サーバ装置１０に所望の分析処理を行わせることができる。
【００１７】
図２はサーバ装置１０のハードウェア構成の一例を表す。サーバ装置１０は、プロセッサ１１と、メモリ１２と、ストレージ１３と、通信装置１４と、バス１５とを備えるコンピュータである。プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）を備える。
【００１８】
プロセッサ１１は、プログラム及びデータ等をストレージ１３及び通信装置１４の少なくとも一方からメモリ１２に読み出し、読み出したプログラム等に従って各種の処理を実行する。メモリ１２は、例えばＲＯＭ（Read Only Memory）及びＲＡＭ（Random Access Memory）等のコンピュータで読み取り可能な記録媒体である。ストレージ１３は、ハードディスクドライブ等のコンピュータで読み取り可能な記録媒体である。
【００１９】
通信装置１４は、有線ネットワーク及び無線ネットワークの少なくとも一方を介してコンピュータ間の通信を行うためのハードウェア（送受信デバイス）である。プロセッサ１１及びメモリ１２等の各装置は、情報を通信するためのバス１５によって接続される。バス１５は、単一のバスを用いて構成されてもよいし、装置間ごとに異なるバスを用いて構成されてもよい。
【００２０】
図３は検査端末２０のハードウェア構成の一例を表す。検査端末２０は、プロセッサ２１と、メモリ２２と、ストレージ２３と、通信装置２４と、入力装置２５と、出力装置２６と、バス２７とを備えるコンピュータである。図２に同名のハードウェアが表されているプロセッサ２１等は、性能及び仕様等の違いはあるが、図２と同種のハードウェアである。
【００２１】
入力装置２５は、外部からの入力を受け付ける入力デバイス（例えばスイッチ、ボタン、センサなど）である。入力装置２５は、写真を撮影する撮像装置（デジタルカメラなど）を含んでいる。出力装置２６は、外部への出力を実施する出力デバイス（例えば、ディスプレイ、スピーカ、ＬＥＤランプなど）である。検査端末２０においては、入力装置２５及び出力装置２６は、一部又は全部が一体となった構成（ディスプレイ及びタッチパネルが一体となったタッチスクリーン）を含む。
【００２２】
図４は事業者端末３０及び分析者端末４０のハードウェア構成の一例を表す。事業者端末３０及び分析者端末４０は、プロセッサ３１と、メモリ３２と、ストレージ３３と、通信装置３４と、入力装置３５と、出力装置３６と、バス３７とを備えるコンピュータである。図２及び図３に同名のハードウェアが表されているプロセッサ２１等は、性能及び仕様等の違いはあるが、図２及び図３と同種のハードウェアである。
【００２３】
事業者端末３０及び分析者端末４０は、検査端末２０と同様にモバイル端末であってもよいし、処理が速く画面が大きい据え置き型のコンピュータであってもよい。後者の場合には、入力装置３５にキーボード及びマウス等が含まれ、出力装置３６に画面の表示専用のディスプレイが含まれる。
【００２４】
検査支援システム１が備える各装置における各機能は、各々のプロセッサ、メモリなどのハードウェア上に所定のソフトウェア（プログラム）を読み込ませることによって、プロセッサが演算を行い、各々の通信装置による通信を制御したり、メモリ及びストレージにおけるデータの読み出し及び書き込みの少なくとも一方を制御したりすることによって実現される。
【００２５】
図５は各装置が実現する機能構成を表す。サーバ装置１０は、項目記憶部１０１と、項目抽出部１０２と、検査画像生成部１０３と、検査画像出力部１０４と、検査履歴蓄積部１０５と、認証部１０６と、分析処理部１０７とを備える。検査端末２０は、検査画像表示部２０１と、指定操作受付部２０２と、リスト管理部２０３と、入力操作受付部２０４と、集計処理部２０５とを備える。
【００２６】
事業者端末３０は、検査画像表示部３０１と、リスト管理部３０２と、入力操作受付部３０３と、認証操作受付部３０４とを備える。分析者端末４０は、分析画像表示部４０１と、分析操作受付部４０２とを備える。なお、図５では検査端末２０、事業者端末３０及び分析者端末４０が１台ずつだけ表されているが、機能構成が共通する端末が２台以上備えられていてもよい。
【００２７】
項目記憶部１０１は、上述した検査リストで用いられる可能性がある検査項目を記憶する。検査リストに含まれる検査項目は、検査対象となる施設によって異なる場合があるため、本実施例においては、広範囲な検査項目が準備されており、その中から適宜選択できるようになっている。例えば飲食店が保健所から営業許可を取得するための食品衛生上の基準は自治体によって異なる場合がある。
【００２８】
そのため、各飲食店が所在する地域の自治体で定められた基準を満たしているか否かを確認可能な検査項目とする必要があるが、本実施例においては、地域に応じた検査項目が選択できるようになっている。また、飲食店営業、喫茶店営業、食品製造業及び食品販売業等のように業種によっても保健所から営業許可を取得するための食品衛生上の基準が異なる場合がある。
【００２９】
また、いくつもの地域に店舗を構えるチェーン店や組合に属する事業者のようにグループ（企業グループ又は組合グループ等）に属する店舗では、地域によらずグループで統一した食品衛生上の基準を満たすことが義務付けられている場合がある。その場合は、グループの基準を満たしているか否かを確認可能な検査項目とする必要がある。本実施例においては、それらの場合も、業種やグループに応じた検査項目が選択できるようになっている。なお、上述した地域等の他にも、ＨＡＣＣＰに基づく検査やＨＡＣＣＰの考え方を取り入れた検査など種々の検査基準に応じた検査項目が選択できるようになっていてもよい。
【００３０】
項目記憶部１０１は、上記のとおり様々な基準があることを想定して検査が求められる可能性がある検査項目を予め記憶する。ここで、検査項目とは、検査の際に用いられる質問、アンケート等を表す言葉であって、所定の言語の文や句またはその意図を記号などによって示したものである。言語や記号はいずれか一方を用いても、双方を用いてもよい。なお、記号を用いた場合は、検査項目を周囲の人に知られないようにする場合などに好適である。
【００３１】
この実施例では、検査項目を日本語の言葉によって表示するようにしているが、言語や記号などを音声によって発音するように構成してもよい。検査項目の例としては、例えば「手洗い専用シンクを利用している」あるいは、「〇〇は常になされてますか」「温度は〇〇度以上ですか」「湿度は〇〇〜〇〇の範囲に入っていますか」というように検査すべき内容が文章で表されている。
【００３２】
検査項目に対しては、検査結果が入力されるようになっており、入力された結果は記憶されるようになっている（詳細は後述）。検査結果は、「はい」、「いいえ」の２択や、その他の選択肢を増やして３択以上で表されてもよいし、５段階、１０段階のように程度を示す数値や記号によって表されてもよい。本実施例では、「はい」と回答される検査項目は検査結果が「ＯＫ」であったことを示し、「いいえ」と回答される検査項目は検査結果が「ＮＧ」であったことを示す２択を採用している。
【００３３】
図６に本実施例において記憶される検査項目の一覧を示す。ここでは、各検査項目を「Ｋ−１」、「Ｋ−２」、「Ｋ−３」、・・・というように記号及び数字で表しているが、実際に記憶されているのは質問等を示す文章である。図６に示すように、項目記憶部１０１は、各検査項目に対して検査対象の属性を対応付けて記憶している。検査対象とは、検査項目の質問やアンケート等が何について行われるかを示すものである。つまり、各検査項目には、何らかの関連する検査対象が存在する。
【００３４】
検査対象には様々なものがなり得るため、検査項目も多数必要になる場合がある。そこで、検査支援システム１においては、検査対象を特定するための言葉（以下「属性」と言う）を定義しておき、定義された属性に検査項目を対応付けることで、多数ある検査項目を整理可能としている。検査対象は、例えば、設備、場所、人などの検査が行われる物理的なものを示す属性や、手洗い、服装、日付管理、保管状態、温度状態など検査の内容を示す属性によって特定される。
【００３５】
また、検査が行われる施設が属する業種や地域、グループ（企業グループ又は組合グループ等）などによって何を検査対象にするかが決まる場合もあるので、検査対象は、それらの業種や地域、グループなどを示す属性によっても特定可能である。検査支援システム１においては、検査対象を特定するためのこれらの属性が、前述した検査対象の１又は複数の属性として定義されている。
【００３６】
なお、上記の各例では、何らかの共通性を有する検査対象の属性がその共通性を表す言葉によって示されたが、それに限らず、例えば何らかの共通性を有する検査対象の属性がその共通性とは関係のない任意の言葉（例えば単なる記号等）によって示されてもよい。また、共通性を有しない検査対象（例えばランダムに選ばれる検査対象）の属性が任意に定められる言葉（単なる記号等）によって示されてもよい。いずれの場合も、検査項目に関連する検査対象の１又は複数の属性がその検査項目に対応付けられることで、検査項目の整理が可能になる。
【００３７】
また、各属性はさらに任意の区分で仕分けができるようになっており、各区分には任意の名称（以下「区分名称」と言う）が付けられている。本実施例では、図６に示すように、従業員、食材、器具・食器、保管状況、環境などの属性は「大項目」という区分名称で仕分けられ、手洗い、服装等の属性は「中項目」という区分名称で仕分けられている。
【００３８】
大項目及び中項目は、本実施例においては、互いに共通性を有する検査対象（例えば「従業員」であれば従業員に関係する検査対象、「手洗い」であれば手洗いに関係する検査対象）を仕分ける区分名称である。大項目及び中項目として仕分けられた属性に対応付けられた検査項目は、検査対象が共通性を有するため、まとめて検査しやすくなっている（例えば「食材」という大項目の検査項目は、食材が保管されている場所でまとめて検査することができるなど）。
【００３９】
また、地域を示す属性（「Ａ市」等）、業種を示す属性（「飲食店」等）、及びグループを示す属性（「Ｂグループ」等）は、それぞれ「地域」「業種」「グループ」という区分名称で仕分けられている。地域、業種及びグループは、検査対象となる施設が属する集団の種類で属性を仕分ける区分名称である。集団においては、前述したように事業を行うために満たす必要がある食品衛生の独自の基準が定められている場合がある。
【００４０】
そのため、地域、業種及びグループの各属性は、各々に対応する食品衛生の基準を満たすことを確認するために必要な検査項目に対応付けられている。例えば、図６の例では、「Ａ市」という地域の属性が、Ａ市で定められた食品衛生上の基準を満たすために必要な検査項目のうちの１つである検査項目「Ｋ１−３」に対応付けられている。
【００４１】
また、「飲食店」という業種の属性が、飲食店向けに定められた食品衛生上の基準を満たすために必要な検査項目のうちの１つである検査項目「Ｋ１−６」に対応付けられている。また、「Ｂグループ」というグループの属性が、Ｂグループの傘下の店舗等に求められる食品衛生上の基準を満たすために必要な検査項目のうちの１つである検査項目「Ｋ２−３」に対応付けられている。
【００４２】
また、各区分名称には、「全て」及び「Ｎ／Ａ」という属性が含まれている。「全て」は該当する区分名称の属性の全てが含まれることを意味する（「地域」であれば「Ａ市」を含む全ての地域の属性が含まれる）。つまり、例えば「全て」という地域の属性に対応付けられた検査項目は、検査が行われる施設が属する地域がどこであるかに関わらず必要となることを意味する。
【００４３】
なお、図６の例では、例えば「地域」の区分名称の属性であれば「Ａ市」という１つの属性又は「全て」という全ての属性だけが検査項目に対応付けられているが、これに限らない。例えば地域の属性として、「Ａ市、Ｃ市」という２つの属性や３つ以上の属性が検査項目に対応付けられていてもよい。そうすることで、複数の地域で共通して必要な検査項目を表すことができる。
【００４４】
また、「Ｎ／Ａ」は、該当する区分名称の属性が存在しないこと（つまり該当なし）を意味する。つまり、例えば、検査項目「Ｋ２−３」には「Ｂグループ」というグループの属性が対応付けられているが、地域及び業種としては「Ｎ／Ａ」が対応付けられている。これは、Ｂグループ傘下の店舗等であれば、その地域や業種に関係なく検査項目「Ｋ２−３」の検査が必要となることを意味する。
【００４５】
なお、検査項目「Ｋ２−３」には「地域」及び「業種」の属性が対応付けられていないが、例えば「Ａ市」という地域の属性と「飲食店」という業種の属性の両方に対応付けられた検査項目があってもよい。その検査項目は、例えばＡ市が飲食店向けに定めた食品衛生上の基準を満たすために必要な検査項目を意味する。同様に、「地域」、「業種」及び「グループ」の属性がいずれも対応付けられた検査項目があってもよい。
【００４６】
以上のとおり、項目記憶部１０１は、食品衛生に関する複数の検査項目と、それら複数の検査項目の各々が関連する検査対象の属性（検査項目に関連する検査対象の属性が複数あればいずれか１以上の属性）とを互いに対応付けて記憶する。項目記憶部１０１は本発明の「記憶部」の一例である。ここでいう「複数の属性」とは、「大項目」に区分される「従業員」及び「食材」等、「中項目」に区分される「手洗い」及び「服装」等、「地域」に区分される「全て」及び「Ａ市」等、「業種」に区分される「全て」及び「飲食店」等、「グループ」に区分される「全て」及び「Ｂグループ」等である。
【００４７】
検査端末２０では、項目記憶部１０１に記憶されている検査項目の一覧を表す検査リストを表示させるための操作が行われる。検査端末２０の検査画像表示部２０１は、検査に関係する各種の画像を表示する。検査画像表示部２０１は、例えば、検査リストを表示させる操作を受け付けるための操作画像を表示する。
【００４８】
図７は表示された操作画像の一例を表す。図７の例では、検査画像表示部２０１は、「検査対象の属性を指定してください。」という文字列と、施設名の入力欄Ａ１と、地域の属性の指定欄Ａ２と、業種の属性の指定欄Ａ３と、グループの属性の指定欄Ａ４と、検査リストの生成ボタンＢ１とを含む検査画面を表示している。検査画像表示部２０１は、入力欄、各指定欄及びボタンの表示範囲を指定操作受付部２０２に通知する。
【００４９】
指定操作受付部２０２は、通知された表示範囲への操作を、検査対象の属性を指定する指定操作として受け付ける。各指定欄への操作は、文字列を入力する操作でもよいし、プルダウンされた属性の候補のいずれかを選択する操作でもよい。指定欄で属性を指定する操作（図７の例では「Ａ市」及び「飲食店」が指定されている）と生成ボタンＢ１を押す操作とが行われたとする。
【００５０】
指定操作受付部２０２は、それらの操作を属性の指定操作として受け付け、入力された施設名及び指定された属性を示す属性データをサーバ装置１０に送信する。サーバ装置１０の項目抽出部１０２は、送信されてきた属性データを受け取ると、受け取った属性データが示す属性に対応付けて項目記憶部１０１に記憶されている検査項目を抽出する。項目抽出部１０２は、指定された属性によって異なる検査項目群を抽出する。
【００５１】
図８は抽出された検査項目の例を表す。例えば「Ａ市の飲食店」が属性として指定された場合、項目抽出部１０２は、「Ａ市」に対応付けられた「Ｋ１−３」及び「飲食店」に対応付けられた「Ｋ１−６」という検査項目を含む検査項目群を抽出する。また、項目抽出部１０２は、「Ａ市の喫茶店」が属性として指定された場合、「Ａ市」に対応付けられた「Ｋ１−３」は含むが「飲食店」に対応付けられた「Ｋ１−６」は含まない検査項目群を抽出する。
【００５２】
また、項目抽出部１０２は、「Ｃ市の飲食店」が属性として指定された場合、「Ａ市」に対応付けられた「Ｋ１−３」は含まないが「飲食店」に対応付けられた「Ｋ１−６」を含む検査項目群を抽出する。また、項目抽出部１０２は、「Ａ市のグループＢ傘下の喫茶店」が属性として指定された場合、「飲食店」に対応付けられた「Ｋ１−６」は含まないが、「Ａ市」に対応付けられた「Ｋ１−３」と、「グループＢ」に対応付けられた「Ｋ２−３」を含む検査項目群を抽出する。
【００５３】
また、項目抽出部１０２は、「Ｃ市のグループＢ傘下の喫茶店」が属性として指定された場合、「Ａ市」に対応付けられた「Ｋ１−３」と「飲食店」に対応付けられた「Ｋ１−６」は含まないが、「グループＢ」に対応付けられた「Ｋ２−３」を含む検査項目群を抽出する。なお、項目抽出部１０２は、「全て」という属性に対応付けられた各検査項目を、いずれの検査項目群にも含めて抽出する。
【００５４】
なお、項目抽出部１０２は、例えば「Ａ市、Ｃ市」に対応付けられた検査項目がある場合には、「Ａ市」が指定された場合も「Ｃ市」が指定された場合もその検査項目を抽出する。一方、項目抽出部１０２は、例えば「Ａ市」及び「飲食店」に対応付けられた検査項目がある場合には、「Ａ市」だけが指定された場合も「飲食店」だけが指定された場合もその検査項目を抽出せず、「Ａ市」と「飲食店」の両方が指定された場合にその検査項目を抽出する。
【００５５】
項目抽出部１０２は、受け取った属性データが示す施設名に対応する施設ＩＤを発行し、施設名及び施設ＩＤを互いに対応付けて自装置に記憶させておく。以降は、各施設のデータは施設ＩＤに対応付けて管理される。項目抽出部１０２は、上記のとおり検査項目を抽出すると、抽出した検査項目を検査対象の施設ＩＤと共に検査画像生成部１０３に供給する。
【００５６】
検査画像生成部１０３は、食品衛生の検査に関係する検査画像を生成する機能であり、例えば、供給された検査項目を一覧として表す検査リストを検査画像として生成する。検査画像生成部１０３は、例えば、施設名及び検査リストをブラウザに表示する際のデザインを表すＨＴＭＬ（HyperText Markup Language）文書と、各検査項目への入力結果を格納する検査結果テーブルとを含むリストデータを生成することで、検査リストを生成する。
【００５７】
検査画像生成部１０３は、生成したリストデータを検査画像出力部１０４に供給する。検査画像出力部１０４は、検査画像生成部１０３により生成された検査画像を出力する機能であり、例えば、供給されたリストデータを、属性の指定元である検査端末２０に対して出力することで、検査リストという検査画像を出力する。検査端末２０のリスト管理部２０３は、出力されてきたリストデータを受け取ると、受け取ったリストデータが示す検査リスト及び検査結果テーブルを記憶して管理する。
【００５８】
リスト管理部２０３は、記憶したリストデータが示すＨＴＭＬ文書を検査画像表示部２０１に供給する。検査画像表示部２０１は、供給されたＨＴＭＬ文書が示す施設名及び検査リストを検査画像として表示する。
図９は表示された検査リストの一例を表す。図９の例では、検査画像表示部２０１は、大項目である「従業員」のタブＴ１、「食材」のタブＴ２、「器具・食器」のタブＴ３、「保管状況」のタブＴ４及び「環境」のタブＴ５と、後述する「判定」のタブＴ６を含む検査リストを、タブＴ１を開いた状態で表示している。
【００５９】
「従業員」の表示領域Ｃ１には、中項目の「手洗い」の表示領域Ｄ１、「服装」の表示領域Ｄ２及び「手指目視検査」の表示領域Ｄ３等が含まれている。各中項目の表示領域には、検査項目「Ｋ−１」及び「Ｋ−２」等が表示されている。表示領域Ｃ１をスクロールさせると、表示されていない中項目の表示領域及び検査項目が表示される。検査項目の左側には、検査結果の入力操作を受け付けるＮＧボタンＥ１、写真ボタンＥ２、コメントボタンＥ３及びＯＫボタンＥ４が表示されている。
【００６０】
図１０は入力操作が行われた状態の検査リストの一例を表す。ＮＧボタンＥ１が押されると、「×」マーク（検査結果がＮＧであることを示すマーク）が表示され、ＯＫボタンＥ４が押されると、「〇」マーク（検査結果がＯＫであることを示すマーク）が表示される。また、写真ボタンＥ２が押されると、写真入力欄Ｅ５が表示される。写真入力欄Ｅ５は、検査対象となる現場の写真を添付する領域である。
【００６１】
写真入力欄Ｅ５をタップすると、例えば検査端末２０の撮像装置が起動されてユーザの操作により写真を撮影し、撮影された写真が写真入力欄Ｅ５に表示される。なお、写真入力欄Ｅ５をタップした場合に検査端末２０に記憶されている撮影済みの写真を取り込めるようにしてもよい。
【００６２】
コメントボタンＥ３が押されると、コメント入力欄Ｅ６及びコメント例文一覧Ｅ７が表示される。コメント入力欄Ｅ６には、手入力でコメントを入力してもよいし、コメント例文一覧Ｅ７に含まれている例文を選択することでコメントを入力してもよい。検査画像表示部２０１は、各ボタン及び各入力欄の表示範囲を入力操作受付部２０４に通知する。
【００６３】
入力操作受付部２０４は、通知された表示範囲への操作を、検査結果の入力操作として受け付ける。入力操作受付部２０４は、入力操作を受け付けると、受け付けた入力操作の結果を検査画像表示部２０１に供給し、検査画像表示部２０１は、入力操作の結果を表示する。また、入力操作受付部２０４は、受け付けた入力操作の結果をリスト管理部２０３にも供給する。
【００６４】
リスト管理部２０３は、供給された入力操作の結果を検査結果として、記憶している検査結果テーブルに反映する。
図１１は検査結果テーブルの一例を表す。検査結果テーブルには、「施設ＩＤ」、「検査回数」、「検査項目」、「ＮＧ」、「ＯＫ」、「写真」、「コメント」及び「入力日時」がそれぞれ対応付けて格納されている。
【００６５】
「施設ＩＤ」及び「検査回数」は、検査画像生成部１０３が検査結果テーブルを生成する際に格納されている。図１１の例では、該当する施設ＩＤの検査結果テーブルを初めて生成したので、「１」回が「検査回数」として格納されている。「ＮＧ」の入力は「×」、「ＯＫ」の入力は「〇」で表されている。写真は画像データのファイル名で、コメントはテキストデータのファイル名で表されている。入力日時は年月日で表されているが、詳細な時刻まで表されていてもよい。
【００６６】
集計処理部２０５は、検査結果テーブルに格納された検査結果を参照して、検査結果の集計処理を行う。集計処理とは、共通の検査結果（例えばＯＫの検査結果）の件数を合計した値を集計値として算出する処理である。また、集計処理には、算出した集計値に基づいてさらに別の値を算出する処理も含まれる。具体的には、集計処理部２０５は、ＯＫの検査結果を集計し、検査項目の全体数に対するＯＫの集計値の割合（以下「評価率」と言う）を大項目毎及び全体について算出する処理を行う。
【００６７】
評価率は、この値が高いほど衛生管理のために実施すべき作業が実施されていることを意味する値であり、より安全な食品の供給が期待できることを示す指標として利用可能である。集計処理部２０５は、評価率の算出において、各検査項目の検査結果を一律ではなく重みを付けて扱う。例えば検査項目が５０個ある場合、一律に扱うと１つのＮＧにつき評価率が２％減少する。
【００６８】
これに対し、各検査項目に重みを付けることで、例えば重要度が高い検査項目がＮＧだと３％減少し、重要度が低い検査項目だと１％減少するというように評価率が算出される。重要度とは、例えば、食品衛生に対する影響が大きい検査項目ほど重要度が高いという意味である。重要度を加味した重み付けをすることで、重要度を加味しない場合に比べて、評価率の上記指標としての信頼性を高めることができる。
【００６９】
検査画像表示部２０１は、図９に表す「判定」のタブＴ６を押す操作が行われると、集計処理部２０５に集計処理を要求する。検査画像表示部２０１は、要求に応答して供給される集計結果を表示する。
図１２は表示された集計結果の一例を表す。検査画像表示部２０１は、大項目毎の評価率を示す結果表Ｆ１と、大項目毎の評価率を示すレーダーチャートＦ２とを表示している。
【００７０】
また、検査画像表示部２０１は、全体の評価率を「総合評価」として示し、総合評価に応じて決まる呼称である「優秀店」及び総合評価に応じて決まる評価ランクの「Ｓ」という文字列を表示している。これらの呼称及び評価ランクは、総合評価の値に応じて例えば「優秀店」及び「Ｓ」、「優良店」及び「Ａ」、「良店」及び「Ｂ」、「要改善点」及び「Ｃ」というように定められる。
【００７１】
検査画面に表示されている確定ボタンＢ２を押す操作が行われると、入力操作受付部２０４がこの操作を検査結果の入力を確定させる確定操作として受け付け、リスト管理部２０３は、検査結果テーブルを示す結果データをサーバ装置１０に送信する。サーバ装置１０の検査履歴蓄積部１０５は、送信されてきた結果データが示す検査結果テーブルを記憶することで、記憶した検査結果テーブルに格納された検査結果を検査の履歴として蓄積する。
【００７２】
また、検査履歴蓄積部１０５は、上記の検査結果（食品衛生に関する検査結果）を検査対象の複数の属性のうちのいずれかに対応付けて記憶する。検査履歴蓄積部１０５は、例えば、施設ＩＤで識別される検査対象について指定された属性を項目抽出部１０２に問い合わせる。項目抽出部１０２は、該当する施設ＩＤについて検査項目を抽出する際に用いた属性を検査履歴蓄積部１０５に供給する。検査履歴蓄積部１０５は、供給された属性に対応付けて検査結果を記憶する。
【００７３】
図１３は記憶された検査結果及び属性の一例を表す。図１３の例では、検査履歴蓄積部１０５は、図１２に表す検査結果に、「Ａ市」という地域の属性と、「飲食店」という業種の属性とを対応付けて記憶している。なお、グループの属性は記憶されていないので「なし」と表されている。また、蓄積された検査結果には、施設ＩＤ及び検査回数が含まれているため、どの施設の何回目の検査結果であるかが分かるようになっている。
【００７４】
上記の例では、検査画像生成部１０３が、複数の大項目の検査項目を表す検査リストを予め生成したが、大項目毎に検査リストを生成してもよい。例えば、項目抽出部１０２は、属性データを受け取ると、図９に表すように初期状態で表示される「従業員」に対応付けられた検査項目だけを抽出する。こうして抽出された検査項目を表す検査リストでも、図９に表す表示が可能である。
【００７５】
そして、例えば「食材」のタブＴ２を選択する操作が行われると、その操作を、「食材」という属性を指定する操作として指定操作受付部２０２が受け付ける。すると、項目抽出部１０２が「食材」に対応付けられた検査項目だけを抽出し、「食材」の検査項目を表す検査リストが表示される。以上のとおり、検査リストの生成方法には、全ての大項目の検査リストを予め生成する第１の方法と、大項目が指定されたときに該当する検査リストを生成する第２の方法とがある。
【００７６】
いずれの方法が用いられた場合でも、検査画像出力部１０４は、検査対象の属性（複数の属性のうちのいずれか）が指定されるとその属性に対応付けて記憶されている検査項目を一覧として表す検査リストを出力する。第１の方法の場合、「地域」、「業種」、「グループ」が指定されると、指定された属性に対応付けられた検査項目を表す検査リストが新たに生成されて出力される。
【００７７】
一方、図９に表す検査画面上で「大項目」が指定された場合、指定された大項目に対応付けられた検査項目の検査リストとして、既に生成されて出力された検査リストが画面上に表される。これに対し、第２の方法の場合、「地域」、「業種」、「グループ」及び「大項目」のいずれが指定された場合も、指定された属性に対応付けられた検査項目を表す検査リストが新たに生成されて出力される。
【００７８】
このように、検査画像出力部１０４は、検査端末２０を表示手段として検査リストを出力してすぐにその検査リストを表示させる場合もあれば、検査端末２０を記憶手段として検査リストを出力して後からその検査リストを表示させる場合もある。いずれの場合も、検査対象の属性を指定するだけで必要な検査項目を表す検査リストが出力されるので、必要な検査項目を個々に選択する場合に比べて、食品衛生管理のために必要な検査項目の利用を容易にすることができる。
【００７９】
検査履歴蓄積部１０５に蓄積された検査結果は、検査が行われた施設で事業を行う事業者が確認することができる。事業者端末３０の検査画像表示部３０１、リスト管理部３０２及び入力操作受付部３０３は、検査端末２０の検査画像表示部２０１、リスト管理部２０３及び入力操作受付部２０４と共通の機能であり、サーバ装置１０から出力されてくる検査リストを表示し、入力操作を受け付ける。
【００８０】
ただし、他の事業者の検査結果が閲覧されないように、事業者の認証が行われる。事業者端末３０の認証操作受付部３０４は、サーバ装置１０に検査結果を要求する際に、検査結果が蓄積されている事業者であることを認証するための認証操作を受け付ける。認証操作は、例えば施設ＩＤ及びパスワードを入力する操作である。なお、施設ＩＤの代わりに施設名や事業者名が用いられてもよいし、生体認証が用いられてもよい。
【００８１】
認証操作受付部３０４は、認証操作により入力された認証情報（施設ＩＤ及びパスワード等）を示す認証データをサーバ装置１０に送信する。各事業者の認証情報は、予め登録作業が行われてサーバ装置１０に記憶されているものとする。サーバ装置１０の認証部１０６は、送信されてきた認証データが示す認証情報が自装置に記憶されている場合、検査結果を閲覧可能な事業者であることを認証する。
【００８２】
認証部１０６は、認証情報が自装置に記憶されていない場合は認証不可である旨を事業者端末３０に通知する。認証部１０６は、認証した場合は認証情報に含まれる施設ＩＤを検査履歴蓄積部１０５に供給する。検査履歴蓄積部１０５は、供給された施設ＩＤに対応付けて蓄積している検査結果を検査画像生成部１０３に供給する。検査画像生成部１０３は、供給された検査結果を一覧で表す検査リストを生成する。
【００８３】
検査画像出力部１０４は、生成された検査リストを示すリストデータを、事業者端末３０に対して出力する。この場合の事業者端末は検査結果の表示が許可された装置であり、本発明の「第１ユーザ装置」の一例である。また、検査画像出力部１０４は本発明の「結果出力部」の一例である。事業者端末３０の検査画像表示部３０１は、出力されたリストデータが示す検査結果を表示する。
【００８４】
図１４は表示された検査結果の一例を表す。図１４の例では、検査画像表示部３０１が、「器具・食器」タブの表示領域に、検査結果がＮＧであった検査項目「Ｋ３−１」の写真入力欄Ｅ５及びコメント入力欄Ｅ６を表示している。また、検査画像表示部３０１は、写真入力欄Ｅ５及びコメント入力欄Ｅ６の下に改善後の入力欄として、新たなボタン群（ＮＧボタン、ＯＫボタン等）と、新たな写真入力欄Ｅ１５と、新たなコメント入力欄Ｅ１６及びコメント例文一覧Ｅ１７とを表示している。
【００８５】
事業者の従業員は、ＮＧを判断された検査項目について改善を行った場合、改善後の入力欄に写真やコメントを入力することができる。図１２に表す集計結果については、新たに入力された改善結果を反映しなくてもよいし、反映してもよい。反映する際は、集計処理部２０５と共通する機能を事業者端末３０に備えさせておけばよい。いずれの場合も、確定ボタンＢ２を押す操作が行われると、リスト管理部３０２が改善結果を反映した検査結果テーブルを示す結果データをサーバ装置１０に送信する。
【００８６】
図１５は改善結果を反映した検査結果テーブルの一例を表す。図１５の例では、検査項目「Ｋ１−２」の検査結果が２行になり、１行目には元のＮＧの検査結果が格納され、２行目にはＯＫになった検査結果が格納されている。なお、単にＯＫにするだけでは本当に改善されたか否かを第三者に示すことができないので、写真の入力を必須とするか、写真及びコメントの両方の入力を必須とすることが望ましい。
【００８７】
そのために、例えば、リスト管理部３０２が、改善された検査項目に写真及びコメント（写真だけでもよい）が入力されていない場合は結果データを出力しないようにして、検査画像表示部３０１が、写真及びコメントの入力を促すメッセージを表示してもよい。検査履歴蓄積部１０５は、送信されてきた結果データが示す検査結果テーブルに格納された検査結果を、検査の履歴として蓄積する。
【００８８】
その際、検査結果テーブルには施設ＩＤ及び検査回数が含まれているので、検査履歴蓄積部１０５は、新たな検査結果を、施設ＩＤ及び検査回数が共通する元の検査結果と統合して蓄積する。こうして、検査履歴蓄積部１０５は、事業者端末３０から送信されてきた新たな入力情報を、検査画像出力部１０４により出力された元の検査結果に対応付けて記憶する。新たな入力情報は本発明の「第１入力情報」の一例であり、検査履歴蓄積部１０５は本発明の「記憶部」の一例である。
【００８９】
以上のとおり改善結果が検査結果に反映されることで、次の検査を待たずに改善結果を記録することができる。また、改善された時期が記録されることで、事業者に対してより早く改善することへの動機付けをすることができる。ただし、事業者による自己検査は検査の専門家でないことや当事者であることから正確性に欠ける可能性がある。そこで、専門の検査員によるさらなる確認がされてもよい。
【００９０】
本実施例では、例えば、検査履歴蓄積部１０５が、事業者端末３０から結果データを受け取ると、受け取った結果データを検査画像生成部１０３に供給する。検査画像生成部１０３は、供給された結果データが示す施設ＩＤの施設で改善結果の入力があったことを伝達するための検査画像を生成し、検査画像出力部１０４が、生成された検査画像を、例えば該当する施設ＩＤ及び検査回数の検査を行った検査端末２０に出力する。なお、検査画像の出力先は、他の担当者の端末であってもよいし、担当者等の電子メールアドレスやＳＮＳ（Social Networking Service）のアカウントであってもよい。
【００９１】
図１６は表示された検査画像の一例を表す。図１６の例では、検査端末２０の検査画像表示部２０１が、「以下の検査結果に改善結果の入力があります。」という改善結果の入力があったことを示す文字列と、改善結果が入力された施設の施設名が「レストランＲ」で検査回数が「１回」であることを示す文字列と、改善結果の表示ボタンＢ１１とを含む検査画像Ｇ１１を表示している。
【００９２】
検査画像表示部２０１は、検査画像Ｇ１１を受け取ると、例えば自装置の表示面にポップアップ画像を表示して、ポップアップ画像が選択された場合に検査画像Ｇ１１を表示する（プッシュ型の通知）。なお、検査画像表示部２０１は、検査画像Ｇ１１を受け取った後に初めて検査員が別の検査等を行うために検査画面を表示する操作を行った際に、検査画像Ｇ１１を表示してもよい（プル型の通知）。
【００９３】
また、検査画像表示部２０１は、検査画像を受け取る度ではなく、一定期間が経過する度に（例えば１週間毎に）ポップアップ画像を表示してもよい。その場合、検査画像表示部２０１は、一定期間の間に受け取った検査画像を並べて表示する。表示ボタンＢ１１を押す操作が行われると、サーバ装置１０の検査画像生成部１０３、検査画像出力部１０４及び検査履歴蓄積部１０５が上記の例と同様に協働し、表示ボタンＢ１１と共に表示されていた施設ＩＤに対応付けられた検査結果を示すリストデータを検査端末２０に対して出力する。
【００９４】
ここで、本実施例では、検査端末２０には全ての検査結果の表示が許可されているものとする。つまり、検査画像出力部１０４は、事業者端末３０において入力された入力情報の表示が許可された検査端末２０に対してその入力情報を出力する。この場合の検査画像出力部１０４は本発明の「情報出力部」の一例である。検査端末２０の検査画像表示部２０１は、出力されたリストデータが示す検査結果を表示する。
【００９５】
図１７は表示された検査結果の一例を表す。図１７の例では、検査画像表示部２０１が、図１４に表す写真入力欄Ｅ１５及びコメント入力欄Ｅ１６の下に、「検査員コメント」という文字列とコメント入力欄Ｅ２６とを表示している。検査員は、写真入力欄Ｅ１５の写真及びコメント入力欄Ｅ１６のコメントを確認して、補足又は修正すべき点などがあればコメントを入力することができる。なお、図１７の例では検査員のコメントが改善結果のコメントとは別のコメント入力欄Ｅ２６に追記されているが、コメント入力欄Ｅ１６への入力にして改善結果のコメントを修正させてもよい。
【００９６】
検査員によるコメントの入力後、図１２に表す確定ボタンＢ２を押す操作が行われると、リスト管理部２０３が検査員のコメントを反映した検査結果テーブルを示す結果データをサーバ装置１０に送信する。
図１８は検査員のコメントを反映した検査結果テーブルの一例を表す。図１８の例では、検査項目「Ｋ１−２」の検査結果が３行になり、３行目には検査員のコメントを示すテキストデータが格納されている。
【００９７】
こうして、検査履歴蓄積部１０５は、検査端末２０から送信されてきた新たな入力情報を、検査画像出力部１０４により出力された元の入力情報（事業者端末３０において入力された入力情報）に対応付けて記憶する。この場合の検査端末２０は本発明の「第２ユーザ装置」の一例であり、検査端末２０において入力された入力情報は本発明の「第２入力情報」の一例である。
【００９８】
以上のとおり検査員によるコメントが付加されることで、コメントが付加されない場合に比べて、事業者が行った改善活動に対する検査結果の客観性を向上させることができる。なお、検査員によるコメントは、現場に行かないで行われることが想定される。現場に行かなくても事業者のコメントから改善状況を判断できることもあり得るが、やはり事業者による入力情報には写真が含まれていることが望ましい。
【００９９】
そこで、検査履歴蓄積部１０５は、事業者端末３０において入力された入力情報に写真が含まれている場合のみ、その入力情報を検査結果に対応付けて記憶するようにしてもよい。例えば改善後の入力情報に写真が含まれていないのに確定ボタンＢ２を押す操作が行われると、図１５に表すような同じ検査項目の２行の検査結果の２行目に写真データが格納されていない検査データが事業者端末３０から送信されてくる。
【０１００】
検査履歴蓄積部１０５は、その状態の結果データを受け取ると、検査結果を記憶せずに、写真データの添付を要求する要求画像の生成及び出力を検査画像生成部１０３及び検査画像出力部１０４に指示する。検査画像生成部１０３及び検査画像出力部１０４が指示された要求画像を出力し、検査画像表示部３０１が要求画像を表示することで、事業者の従業員に写真の入力を促すことができる。また、写真がない状態では改善後の入力情報を記憶しないようにすることで、写真の有無に関わらず記憶する場合に比べて、改善後の入力情報の信頼性を高めることができる。
【０１０１】
続いて、検査結果の分析に関係する機能について説明する。分析者端末４０の分析画像表示部４０１は、検査結果の分析に関する画像を表示する。分析画像表示部４０１は、例えば、分析対象を指定するための画像を表示する。
図１９は表示された分析に関する画像の一例を表す。図１９の例では、分析画像表示部４０１は、「分析対象を指定してください。」という文字列と、施設名／施設ＩＤ入力欄Ａ１１と、分析情報表示ボタンＢ３とを含む分析画面を表示している。
【０１０２】
また、分析画像表示部４０１は、分析画面において、地域入力欄Ａ２１、業種入力欄Ａ２２及びグループ入力欄Ａ２３と、分析情報表示ボタンＢ４も表示している。分析操作受付部４０２は、各入力欄及びボタンへの操作を、検査結果の分析に関する分析操作として受け付ける。図１９の例では、分析操作受付部４０２は、施設名／施設ＩＤ入力欄Ａ１１への「ＩＤ００１」、「ＩＤ００２」及び「ＩＤ００３」という施設ＩＤの入力を受け付けている。
【０１０３】
分析操作受付部４０２は、図１９の状態で分析情報表示ボタンＢ３を押す操作を受け付けると、施設名／施設ＩＤ入力欄Ａ１１に入力されている施設ＩＤ（施設名でもよい）を示す指定データをサーバ装置１０に送信する。サーバ装置１０の分析処理部１０７は、送信されてきた指定データを受け取ると、受け取った指定データが示す分析対象の検査結果を分析する分析処理を行う。
【０１０４】
まず、分析処理部１０７は、検査履歴蓄積部１０５に蓄積された検査結果から、指定データが示す分析対象の検査結果を抽出する。分析処理部１０７は、抽出した検査結果を分析対象毎に集計し、集計した値を元に例えば１回の検査毎の評価率（検査項目の全体数に対する「ＯＫ」であった検査項目の数の割合）を算出する。その際、分析処理部１０７は、上述した集計処理部２０５と同様に、各検査項目の検査結果に重みを付けて評価率を算出する。
【０１０５】
また、分析処理部１０７は、算出した評価率の平均値、最大値及び最小値等の統計量を算出する。また、分析処理部１０７は、算出した評価率の時系列での変化を示すグラフを生成する。以上のとおり算出された評価値、統計量及び生成されたグラフは、いずれも、分析対象における食品衛生の評価を示す評価情報である。分析処理部１０７は、それらの評価情報を生成すると、生成した評価情報を示す評価データを分析者端末４０に対して出力する。分析者端末４０の分析画像表示部４０１は、出力されてきた評価データが示す評価情報を表示する。
【０１０６】
図２０（図２０Ａ、図２０Ｂ）は表示された評価情報の一例を表す。図２０Ａでは、分析画像表示部４０１は、図１９の例で指定された「ＩＤ００１」、「ＩＤ００２」及び「ＩＤ００３」という施設ＩＤの各施設における評価率の最新値、平均値、最大値及び最小値を示す統計量テーブルを評価情報として表示している。また、図２０Ｂでは、分析画像表示部４０１は、それらの施設における評価率の時系列での変化を示すグラフを評価情報として表示している。
【０１０７】
図２０の例であれば、例えば最小値が９５％で平均値が９８％のＩＤ００２の施設は安定して食品衛生が守られていると分析される。また、ＩＤ００１の施設は前回の検査まで改善を重ねてＩＤ００２の施設よりも評価率が高くなったが、最新の検査では評価率が急落しており、何か原因があることが予想される。また、ＩＤ００３の施設は前々回まで９０％未満と低迷していたが、最新の２回は９５％以上になり何らかの改善策が行われたと予想される。
【０１０８】
図１９の分析画面で分析対象が属性で指定された場合、分析操作受付部４０２は、指定された属性を示す指定データをサーバ装置１０に送信する。ここで、検査履歴蓄積部１０５は、図１３の説明で述べたとおり、検査結果を検査対象の属性に対応付けて記憶している。分析処理部１０７は、指定データが示す属性に対応付けて記憶されている検査結果を抽出し、例えば図２０の例と同様の評価情報を生成して出力する。
【０１０９】
図２１（図２１Ａ、図２１Ｂ、図２１Ｃ、図２１Ｄ）は出力された評価情報の例を表す。例えば図２１Ａでは、「Ａ市」、「Ｃ市」及び「Ｄ市」等の地域が属性として指定された場合の統計量テーブルが表されている。図２１Ｂでは、「飲食店」、「喫茶店」及び「食品工場」等の業種が属性として指定された場合の統計量テーブルが表されている。図２１Ｃでは、「Ｂ」、「Ｅ」及び「Ｆ」等のグループが属性として指定された場合の統計量テーブルが表されている。
【０１１０】
また、図２１Ｄでは、「Ａ市飲食店」、「Ａ市喫茶店」及び「Ｃ市飲食店」等の地域及び業種の組が属性として指定された場合の統計量テーブルが表されている。このように、複数の属性が分析対象として指定されてもよい。以上のとおり、分析処理部１０７は、複数の属性のいずれかの属性が指定されるとその属性に対応付けて検査履歴蓄積部１０５に記憶されている検査結果の集計値に基づき表される評価情報を出力する。分析処理部１０７は本発明の「評価情報出力部」の一例である。
【０１１１】
上記のとおり指定された属性毎に評価情報が出力されることで、属性毎の評価情報が出力されない場合に比べて、例えば食品衛生の取り組みが進んでいる地域やグループを特定して参考にしたり、食品衛生の取り組みに課題がある業種を特定して原因を分析したりするというように、食品衛生の改善策の様々な切り口での検討を容易にすることができる。
【０１１２】
図２１の例では、分析処理部１０７が統計量テーブルだけを評価情報として出力していたが、図２０の例と同様に評価率の時系列変化を示すグラフを評価情報として出力してもよい。また、図２０の例で指定された施設ＩＤも検査対象の複数の属性のうちの１つである。つまり、分析処理部１０７は、集計値に基づき算出される値（例えば評価率）の時系列での変化を示す情報を評価情報として出力してもよい。これにより、食品衛生の管理状況の改善及び悪化の傾向を把握することができる。
【０１１３】
また、分析処理部１０７は、本実施例では評価率を評価情報として出力している。評価率は、検査結果の集計値に基づいて算出されるが、上述したとおり、その集計値の元になる検査結果毎に異なる重みを付けて算出されている。評価率は本発明の「所定の値」の一例である。この場合も、検査項目の重要度を加味した評価率を算出することができ、上述したように、重要度を加味しない場合に比べて、評価率自体の信頼性を高めることができる。
【０１１４】
サーバ装置１０及び検査端末２０は、上記の構成に基づいて、検査リストを表示して検査結果を蓄積する検査処理を行う。
図２２は検査処理における各装置の動作手順の一例を表す。図２２の動作手順は、例えば、検査員が検査端末２０を操作して図７に表す操作画像を表示させることを契機に開始される。
【０１１５】
まず、検査端末２０（指定操作受付部２０２）は、検査対象の属性を指定する指定操作を受け付ける（ステップＳ１１）。次に、検査端末２０（指定操作受付部２０２）は、指定された属性を示す属性データをサーバ装置１０に送信する（ステップＳ１２）。サーバ装置１０（項目抽出部１０２）は、送信されてきた属性データが示す属性に対応付けて項目記憶部１０１に記憶されている検査項目を抽出する（ステップＳ１３）。
【０１１６】
続いて、サーバ装置１０（検査画像生成部１０３）は、抽出された検査項目を一覧として表す検査リスト及び検査結果テーブルを含むリストデータを生成する（ステップＳ１４）。そして、サーバ装置１０（検査画像出力部１０４）は、生成されたリストデータを検査端末２０に対して出力する（ステップＳ１５）。検査端末２０（リスト管理部２０３）は、出力されてきたリストデータを記憶する（ステップＳ１６）。
【０１１７】
次に、検査端末２０（検査画像表示部２０１）は、記憶されたリストデータが示す検査リストを表示する（ステップＳ１７）。続いて、検査端末２０（入力操作受付部２０４）は、検査結果の入力操作を受け付ける（ステップＳ２１）。次に、検査端末２０（リスト管理部２０３）は、入力操作の結果を検査結果として検査結果テーブルに反映する（ステップＳ２２）。
【０１１８】
続いて、検査端末２０（集計処理部２０５）は、検査結果テーブルに格納された検査結果を参照して、検査結果の集計処理を行う（ステップＳ２３）。次に、検査端末２０（検査画像表示部２０１）は、集計処理の結果を表示する（ステップＳ２４）。続いて、検査端末２０（入力操作受付部２０４）は、検査結果の入力を確定させる確定操作を受け付ける（ステップＳ３１）。
【０１１９】
次に、検査端末２０（リスト管理部２０３）は、検査結果テーブルを示す結果データをサーバ装置１０に送信する（ステップＳ３２）。サーバ装置１０（検査履歴蓄積部１０５）は、送信されてきた結果データが示す検査結果テーブルに格納された検査結果を、検査対象の属性に対応付けて蓄積する（ステップＳ３３）。ステップＳ３３の後は、蓄積された検査結果を事業者に提示する提示処理が行われる。
【０１２０】
図２３は提示処理における各装置の動作手順の一例を表す。図２３の動作手順は、例えば、事業者の従業員が事業者端末３０に対して認証操作を行うことを契機に開始される。まず、事業者端末３０（指定操作受付部２０２）は、認証操作を受け付けると（ステップＳ３１）、認証データをサーバ装置１０に送信する（ステップＳ３２）。サーバ装置１０（認証部１０６）は、送信されてきた認証データに基づき事業者を認証する（ステップＳ３３）。
【０１２１】
続いて、サーバ装置１０（検査画像生成部１０３）は、認証された事業者の検査結果を一覧として表す検査リスト及び検査結果テーブルを含むリストデータを生成する（ステップＳ３４）。次に、サーバ装置１０（検査画像出力部１０４）は、生成されたリストデータを検査端末２０に対して出力する（ステップＳ３５）。事業者端末３０（リスト管理部３０２）は、出力されてきたリストデータを記憶する（ステップＳ３６）。
【０１２２】
次に、事業者端末３０（検査画像表示部３０１）は、記憶されたリストデータが示す検査リストを表示する（ステップＳ３７）。続いて、事業者端末３０（入力操作受付部３０３）は、改善後の入力情報、すなわち改善結果の入力操作を受け付ける（ステップＳ４１）。次に、事業者端末３０（リスト管理部３０２）は、入力された改善結果を検査結果テーブルに反映する（ステップＳ４２）。
【０１２３】
続いて、事業者端末３０（入力操作受付部３０３）は、改善結果の入力を確定させる確定操作を受け付ける（ステップＳ４３）。次に、事業者端末３０（リスト管理部３０２）は、改善結果を反映した検査結果テーブルを示す結果データをサーバ装置１０に送信する（ステップＳ４４）。サーバ装置１０（検査履歴蓄積部１０５）は、送信されてきた結果データが示す検査結果テーブルに格納された改善結果を元の検査結果に対応付けて蓄積する（ステップＳ４５）。
【０１２４】
ステップＳ３３の後は、提示処理の他に、蓄積された検査結果を分析する分析処理が行われる。
図２４は分析処理における各装置の動作手順の一例を表す。図２４の動作手順は、例えば、分析の担当者が分析者端末４０に対して分析画面を表示させることを契機に開始される。
【０１２５】
まず、分析者端末４０（分析操作受付部４０２）は、分析対象の属性を指定する指定操作を受け付け（ステップＳ５１）、指定された属性を示す指定データをサーバ装置１０に送信する（ステップＳ５２）。サーバ装置１０（分析処理部１０７）は、送信されてきた指定データが示す分析対象の検査結果を抽出する（ステップＳ５３）。次に、サーバ装置１０（分析処理部１０７）は、抽出した検査結果を集計して評価率を算出する（ステップＳ５４）。
【０１２６】
続いて、サーバ装置１０（分析処理部１０７）は、算出した評価率に基づき算出される統計量を示す統計量テーブルを生成する（ステップＳ５５）。次に、サーバ装置１０（分析処理部１０７）は、算出した評価率の時系列変化を示すグラフを生成する（ステップＳ５６）。そして、サーバ装置１０（分析処理部１０７）は、生成した統計量テーブル及び時系列グラフを評価情報として示す評価データを分析者端末４０に対して出力する（ステップＳ５７）。分析者端末４０（分析画像表示部４０１）は、出力されてきた評価データが示す評価情報を表示する（ステップＳ５８）。
【０１２７】
［２］変形例
上述した実施例は本発明の実施の一例に過ぎず、以下のように変形させてもよい。また、実施例及び各変形例は、必要に応じて組み合わせて実施してもよい。
【０１２８】
［２−１］属性
検査対象の属性は上述したものに限らない。例えば図１１及び図１３等に表す施設ＩＤ及び検査回数も、検査対象の属性である。施設ＩＤ及び検査回数を指定することで、特定の施設の特定の回の検査結果の評価情報を出力させて分析することができる。また、複数の施設ＩＤを指定することで、複数の施設における評価情報を比較して分析することができる。
【０１２９】
他にも、例えば検査対象の施設において特定の役割を有する者（店長及び料理長等）や施設の食品衛生を監督する監査会社が検査対象の属性として用いられてもよい。これらは、実施例で述べた地域等と同様に食品衛生管理の実施状況に影響する属性であり、これらの属性を指定することで、各属性が評価率に与えた影響（例えば評価率の向上に貢献又は評価率の低下の原因）を分析することができる。
【０１３０】
［２−２］分析処理
分析処理部１０７は、実施例とは異なる分析処理を行ってもよい。分析処理部１０７は、例えば、所定の特徴を有する変化が評価率の時系列変化を示すグラフに現れる場合に、その変化が現れた時期に同様に変化した属性を特定する処理を分析処理として行ってもよい。
【０１３１】
本変形例では、検査履歴蓄積部１０５が、上述した属性とは別に、「店長」、「料理長」及び「監査会社」という属性を検査結果に対応付けて蓄積する。これらの属性は、例えば検査員が検査の際に事業者に確認して検査結果と共に入力することで、毎回の検査結果に対応付けて蓄積される。例えば或る店舗Ｓの施設ＩＤに対応付けて蓄積された属性について図２５を参照して説明する。
【０１３２】
図２５は蓄積された属性の一例を表す。図２５の例では、４回前の検査から最新の検査までの５回の検査における属性が蓄積されている。「店長」は５回とも「Ｇ氏」だが、「料理長」は、４回前まで「Ｉ氏」だったが３回前から「Ｉ氏」に替わり、「監査会社」は２回前まで「Ｊ社」だったが１回前から「Ｋ社」に替わっている。店舗Ｓの評価率の時系列変化を示すグラフを図２６に表す。
【０１３３】
図２６は評価率の時系列変化を示すグラフの一例を表す。図２６の例では、４回前から２回前までは評価率が９５％以上で推移していたが、１回前に８５％近くまで急激に減少し、最新の評価率も９０％未満になっている。分析処理部１０７は、このような急激な減少を所定の特徴として判断する。具体的には、例えば、分析処理部１０７は、評価率が過去３回の平均値よりも１０％以上減少した場合に急激な減少という特徴が現れたと判断する。
【０１３４】
分析処理部１０７は、２回前から１回前にかけて急激な減少が現れているので、２回前から１回前にかけて変化した属性として、図２５の例であれば「Ｊ社」から「Ｋ社」に変化した「監査会社」という属性を特定する。分析処理部１０７は、特定した属性を分析結果として示す分析結果データを分析者端末４０に対して出力する。図２６の例では、分析処理部１０７が特定した属性と共に評価率のグラフを示す分析結果データを出力している。
【０１３５】
特定された属性は、「２回前と１回前の間に監査会社がＪ社からＫ社に替わっています。」という文字列によって表されている。以上のとおり、分析処理部１０７は、所定の特徴を有する変化が評価率の時系列での変化を示す情報（例えばグラフ）に現れる場合に、その変化が現れた時期に変化した属性を出力する。本変形例の分析処理部１０７は本発明の「属性出力部」の一例である。
【０１３６】
上記のとおり分析結果データが出力されることで、食品衛生管理の実施状況の変化に強い影響を与えた可能性がある要素（図２６の例では監査会社の変更）を把握することができる。なお、評価率の時系列変化を示すグラフに現れる所定の特徴は、上述した急激な減少に限らない。例えば急激な増加であってもよい。その場合も、食品衛生管理の実施状況を急激に改善した可能性がある要素を把握して、参考にすることができる。
【０１３７】
また、例えば減少幅は小さくても３回連続減少が続いた場合や反対に３回連続増加が続いた場合を所定の特徴としてもよい。その場合、分析処理部１０７は、３回連続の変化が始まった時期に変化した属性を特定する。また、分析処理部１０７は、９０％以上の場合はどのように変化してもよいが９０％未満の場合は２回連続減少すると所定の特徴が現れたものとして変化した属性を特定してもよい。
【０１３８】
その場合も、分析処理部１０７は、２回連続の変化が始まった時期に変化した属性を特定する。いずれの場合も、評価率に好ましくない変化が現れた時期又は好ましい変化が現れた時期に変化した属性が出力されることで、食品衛生管理の実施状況をそのように変化させた可能性がある要素を把握して、実施状況の改善に役立て又は他の検査対象における改善活動の参考にすることができる。
【０１３９】
［２−３］属性の指定方法
実施例では、図６に表す検査画面で「地域」、「業種」及び「グループ」が属性として指定されたが、この時点で「大項目」及び「中項目」が指定されてもよい。その場合、検査画像出力部１０４は、指定された大項目及び中項目に絞り込んだ検査リストを出力する。例えば、店舗の従業員が一度に全ての検査項目を検査せずに何日かかけて検査を行うといった場合に、当日行う検査項目に絞り込んだ検査リストへのカスタマイズを検査の度に行うことができる。
【０１４０】
また、実施例では、検査員が検査端末２０を操作して属性を指定したが、属性の指定方法はこれに限らない。例えば検査対象の施設の従業員が検査を行うため、検査事業者が検査端末２０を従業員に貸し出す場合がある。その場合は、検査事業者の作業員が予め検査端末２０を操作して属性を指定して、検査リストを表示可能にしておいてもよい。
【０１４１】
また、従業員の所有する端末を検査端末２０として用いる場合、検査事業者が所有する別の端末を操作して属性を指定して、検査リストを表示可能にしておいてもよい。この場合、該当する検査対象の検査リストを表示するためのアクセス情報（ＵＲＬ（Uniform Resource Locator）、ユーザＩＤ及びパスワード等）が従業員に伝えられて、伝えられたアクセス情報を用いて従業員が検査端末２０に検査リストを表示させる。
【０１４２】
また、検査対象の施設の名称等（名称又はＩＤ）と属性とを予め対応付けておき、施設の名称等を入力させることで間接的に検査対象の属性を指定させてもよい。例えば図６に表すＢグループに属する全店舗の施設の名称等をＢグループに対応付けてサーバ装置１０が記憶しておく。そして、該当する施設の名称等が入力されると、項目抽出部１０２が、入力された名称等の施設が属するＢグループが属性として指定されたと判断して検査項目を抽出する。
【０１４３】
［２−４］機械検査
各検査項目の検査を人ではなく機械（コンピュータ）が行ってもよい。その場合、サーバ装置は、例えば、写真を解析して食品衛生の検査を行う検査機能を備える。検査機能は、例えば、予め検査対象（場所、設備及び食品等）の様々な状態の写真を「ＯＫ」又は「ＮＧ」に対応付けて記憶しておく。
【０１４４】
そして、検査機能は、例えば検査履歴蓄積部１０５に蓄積されている検査結果に含まれる検査対象の写真を参照し、記憶している写真のうち算出される特徴量が検査対象の写真に類似するものを特定する。検査機能は、特定した写真が「ＯＫ」に対応付けられいれば「ＯＫ」と判断し、特定した写真が「ＮＧ」に対応付けられいれば「ＮＧ」と判断する。また、検査機能は、さらに、人が行った検査結果を参考にして、検査結果の判断方法を学習（いわゆる機械学習を）してもよい。
【０１４５】
検査機能は、機械学習の方法として、例えば、ニューラルネットワーク（Neural Network）、その階層をさらに深くした深層学習（Deep Learning）、ＳＶＭ（Support Vector Machine）、クラスタ分析又はベイジアンネットワーク等の手法を用いる。また、検査機能は、人工知能（ＡＩ：Artificial Intelligence）の技術が発展した際には、検査の判断方法を学習させた人工知能の技術を用いて検査結果を判断してもよい。
【０１４６】
なお、全ての検査項目を機械検査するのではなく、人と機械検査で検査項目を分担してもよい。また、機械検査がされた検査項目を人が確認して精査するようにしてもよく、そうすることで、検査員の検査の傾向を検査機能に学習させてもよい。いずれの場合でも、検査の現場で必要な画像を撮影したり従業者にヒアリングをしたりする作業は検査員が行わなければならないので、検査員は、他の作業の時間を確保するために検査機能を利用すればよい。
【０１４７】
［２−５］各機能を実現する装置
図５に表す各機能を実現する装置は、上述した装置に限らない。例えば、サーバ装置１０が実現する機能を検査端末２０又は分析者端末４０が実現してもよい。その場合、検査端末２０が本発明の「情報処理装置」の一例となる。また、検査端末２０が実現する機能の一部（例えば集計処理部２０５）をサーバ装置１０が実現してもよい。
【０１４８】
また、反対に、サーバ装置１０が実現する機能の一部（例えば分析処理部１０７）を検査端末２０又は分析者端末４０が実現してもよい。その場合、検査端末２０又は分析者端末４０は、サーバ装置１０に記憶されている検査結果及び属性を取得して自装置のメモリに一時的に記憶させ、評価情報の生成及び出力等を行う。この場合の検査端末２０又は分析者端末４０も本発明の「情報処理装置」の一例となる。
【０１４９】
また、サーバ装置１０が実現する機能を２以上の装置で分担して実現してもよいし、検査端末２０、事業者端末３０及び分析者端末４０がそれぞれ１台の端末で実現する機能を２以上の装置で分担して実現してもよい。また、各機能が実行する動作を２以上の機能で分担して実行してもよい。例えば分析処理部１０７が行う検査結果の抽出、集計及び算出等の動作を別々の機能が実行してもよい。いずれの場合も、検査支援システム１の全体で図５に表す各機能が実現されていればよい。
【０１５０】
［２−６］集計処理と分析処理
集計処理部２０５が行う集計処理（評価率を算出する処理）は、分析処理部１０７が行う分析処理と重複している。そこで、検査端末２０から集計処理部２０５を除き、分析処理部１０７が集計処理を行ってもよい。その場合、「判定」のタブＴ６が選択されると、リスト管理部２０３がその時点で記憶している検査結果テーブルを示す結果データをサーバ装置１０に送信する。
【０１５１】
分析処理部１０７は、受け取った結果データが示す検査結果に基づき集計処理を行い、算出した評価値を検査画像生成部１０３に供給する。検査画像生成部１０３が図１２に表す集計結果を示す画像を生成して検査画像出力部１０４が生成された画像を出力する。検査画像表示部２０１は出力されてきた集計結果を示す画像を表示する。本変形例では、検査画像出力部１０４が、検査対象の検査に用いられる検査項目を表示する表示手段、すなわち検査端末２０に対して、評価情報である評価率を出力することになる。
【０１５２】
検査端末２０は、検査の現場に持ち込まれて検査項目を表示ながら検査を支援する。その検査端末２０に評価情報を出力することで、検査したその場で検査結果の評価情報を現場の従業員等に見せることができる。検査作業中は食品衛生に対する意識が高まっている状態なので、その状態のときに評価情報により自分達の食品衛生に対する取り組みがどの程度のレベルにあるかを知ってもらうことで、後から評価情報を見る場合に比べて、その後の改善活動に対する意欲を高めることができる。
【０１５３】
なお、検査端末２０のリスト管理部２０３も、図１１に表すように、検査結果を検査対象の属性である施設ＩＤ及び検査回数に対応付けて記憶している。また、集計処理部２０５は、判定のタブＴ６が選択されると、検査中の施設の施設ＩＤが指定されたものとして、図１２に表すように検査結果の集計値に基づき算出した評価情報である評価率を検査画像表示部２０１を介して自端末が備える表示手段であるディスプレイに出力する。
【０１５４】
そして、実施例では、集計処理部２０５が、検査対象の検査に用いられる検査項目を表示する表示手段、すなわち検査端末２０のディスプレイに対して、前述した検査画像出力部１０４と同様に評価率を出力している。つまり、リスト管理部２０３は本発明の「記憶部」の一例であり、集計処理部２０５は本発明の「評価情報出力部」の一例であると言える。実施例においても、検査したその場で検査結果の評価情報を現場の従業員等に見せることができ、改善活動に対する意欲を高めることができる。
【０１５５】
［２−７］検査結果
検査履歴蓄積部１０５は、実施例では、検査員が入力した情報を検査結果として蓄積したが、これに限らない。例えば、検査履歴蓄積部１０５は、冷蔵庫等の設備に備えられたセンサの測定値（温度及び湿度等）を記録するシステムから取得される測定値を検査結果として蓄積してもよい。なお、センサの測定値は、センサからサーバ装置１０に直接送信されてきてもよい。
【０１５６】
また、検査履歴蓄積部１０５は、検査対象の施設で取り扱われる食品の微生物検査や理化学検査の結果を記録するシステムから取得される食品検査の情報を検査結果として蓄積してもよい。外部システムから検査結果を取得する場合、検査員による検査結果の蓄積（検査結果のアップロード）とは異なるタイミングになりやすいので、検査員による検査結果と対応付ける条件を定めておくことが望ましい。
【０１５７】
例えば、検査履歴蓄積部１０５は、外部システムから取得された検査結果は常に最新の検査員による検査結果に対応付けてもよいし、検査員による検査結果と記憶してから一定期間が過ぎると、まだ取得されていない次の検査結果に対応付けるようにしてもよい（例えば検査員による検査の前後半年の検査結果を検査員による検査結果に対応付ける）。いずれの場合も、外部システムで取得される温度等の情報を記録して検査結果を補強することができる。
【０１５８】
［２−８］発明のカテゴリ
本発明は、上述したサーバ装置１０、検査端末２０、事業者端末３０及び分析者端末４０という各情報処理装置の他、各情報処理装置を備える情報処理システム（検査支援システム１はその一例）としても捉えられる。また、本発明は、各情報処理装置が実施する処理を実現するための情報処理方法としても捉えられるし、各情報処理装置を制御するコンピュータを機能させるためのプログラムとしても捉えられる。本発明として捉えられるプログラムは、プログラムを記憶させた光ディスク等の記録媒体の形態で提供されてもよいし、インターネット等のネットワークを介してコンピュータにダウンロードさせ、ダウンロードしたプログラムをインストールして利用可能にするなどの形態で提供されてもよい。
【符号の説明】
【０１５９】
１…検査支援システム、１０…サーバ装置、２０…検査端末、３０…事業者端末、４０…分析者端末、１０１…項目記憶部、１０２…項目抽出部、１０３…検査画像生成部、１０４…検査画像出力部、１０５…検査履歴蓄積部、１０６…認証部、１０７…分析処理部、２０１…検査画像表示部、２０２…指定操作受付部、２０３…リスト管理部、２０４…入力操作受付部、２０５…集計処理部、３０１…検査画像表示部、３０２…リスト管理部、３０３…入力操作受付部、３０４…認証操作受付部、４０１…分析画像表示部、４０２…分析操作受付部。
【図１】
2020181564.tif 000003
【図２】
2020181564.tif 000004
【図３】
2020181564.tif 000005
【図４】
2020181564.tif 000006
【図５】
2020181564.tif 000007
【図６】
2020181564.tif 000008
【図７】
2020181564.tif 000009
【図８】
2020181564.tif 000010
【図９】
2020181564.tif 000011
【図１０】
2020181564.tif 000012
【図１１】
2020181564.tif 000013
【図１２】
2020181564.tif 000014
【図１３】
2020181564.tif 000015
【図１４】
2020181564.tif 000016
【図１５】
2020181564.tif 000017
【図１６】
2020181564.tif 000018
【図１７】
2020181564.tif 000019
【図１８】
2020181564.tif 000020
【図１９】
2020181564.tif 000021
【図２０Ａ】
2020181564.tif 000022
【図２０Ｂ】
2020181564.tif 000023
【図２１Ａ】
2020181564.tif 000024
【図２１Ｂ】
2020181564.tif 000025
【図２１Ｃ】
2020181564.tif 000026
【図２１Ｄ】
2020181564.tif 000027
【図２２】
2020181564.tif 000028
【図２３】
2020181564.tif 000029
【図２４】
2020181564.tif 000030
【図２５】
2020181564.tif 000031
【図２６】
2020181564.tif 000032